(57)【要約】【課題】使用者の作業負担が大きくなるのを抑制しながら、診断の基準となる診断用再構成画像と診断の参考とするための参考用再構成画像とを使用者に容易に識別させることが可能な画像表示装置および医用画像システムを提供する。【解決手段】この画像表示装置１００は、再構成画像Ｉを表示する表示部３１と、診断用再構成画像Ｉ１と、診断用再構成画像Ｉ１とは異なる再構成処理により再構成された参考用再構成画像Ｉ２と、を互いに識別可能なように表示部３１に表示させる表示制御部３２と、を備える。【選択図】図５
2020010754.tif 000002
【特許請求の範囲】
【請求項１】
被検体の診断に用いられる放射線または核磁気共鳴による信号の少なくともいずれかに基づいて生成された検出データを再構成した再構成画像を表示する画像表示装置であって、
前記再構成画像を表示する表示部と、
診断の基準とするために予め設定された所定の再構成処理により再構成された診断用の前記再構成画像である診断用再構成画像と、診断の参考とするために前記診断用再構成画像とは異なる再構成処理により再構成された参考用の前記再構成画像である参考用再構成画像と、を互いに識別可能なように表示部に表示させる制御部と、を備える、画像表示装置。
【請求項２】
前記制御部は、前記診断用再構成画像と前記参考用再構成画像とを含む前記再構成画像を選択するための画像選択リストを前記表示部に表示させるとともに、前記画像選択リストにおいて、前記診断用再構成画像または前記参考用再構成画像のいずれか一方が選択された場合、前記診断用再構成画像と前記参考用再構成画像とをセットで読み出した上で、前記診断用再構成画像と前記参考用再構成画像とを互いに識別可能に前記表示部に表示させるように構成されている、請求項１に記載の画像表示装置。
【請求項３】
前記制御部は、セットで読み出された前記診断用再構成画像と前記参考用再構成画像とを、互いに識別可能なように、前記表示部に、並べて表示させるか、切り換えて個別に表示させるか、または、重畳して表示させるように構成されている、請求項２に記載の画像表示装置。
【請求項４】
前記制御部は、前記診断用再構成画像を識別するための枠で前記診断用再構成画像を囲むか、または、前記参考用再構成画像を識別するための前記枠で前記参考用再構成画像を囲むかのいずれかの状態で、前記診断用再構成画像と前記参考用再構成画像とを前記表示部に並べて表示させるように構成されている、請求項３に記載の画像表示装置。
【請求項５】
前記制御部は、前記診断用再構成画像を前記表示部の予め設定された所定の位置に配置した状態で、前記診断用再構成画像と前記参考用再構成画像とを前記表示部に並べて表示させるように構成されている、請求項３または４に記載の画像表示装置。
【請求項６】
前記制御部は、前記診断用再構成画像と前記検出データの一部のみを再構成した複数の前記参考用再構成画像とを互いに識別可能に前記表示部に並べて表示させるように構成されている、請求項３〜５のいずれか１項に記載の画像表示装置。
【請求項７】
前記制御部は、前記検出データの一部のみを再構成した複数の前記参考用再構成画像を、前記放射線または前記信号の検出時刻に基づいて、前記表示部に時系列に並べて表示させるように構成されている、請求項６に記載の画像表示装置。
【請求項８】
前記制御部は、前記診断用再構成画像または前記参考用再構成画像のいずれか一方に関心領域が設定された場合、前記診断用再構成画像または前記参考用再構成画像のいずれか他方に対して前記診断用再構成画像または前記参考用再構成画像のいずれか一方に設定された前記関心領域に対応する位置に前記関心領域が設定された状態で、前記診断用再構成画像または前記参考用再構成画像のいずれか他方を前記表示部に表示させるように構成されている、請求項３〜７のいずれか１項に記載の画像表示装置。
【請求項９】
前記制御部は、前記診断用再構成画像または前記参考用再構成画像のいずれか一方に設定された前記関心領域に対する画像解析の結果を前記表示部に表示させた場合、前記診断用再構成画像または前記参考用再構成画像のいずれか他方に設定された前記関心領域に対する前記画像解析の結果も前記表示部に表示させるように構成されている、請求項８に記載の画像表示装置。
【請求項１０】
前記制御部は、前記診断用再構成画像または前記参考用再構成画像の少なくともいずれか一方に対して前記診断用再構成画像と前記参考用再構成画像とを識別するための所定の画像処理が行われた前記診断用再構成画像と前記参考用再構成画像とを互いに識別可能に前記表示部に重畳して表示させるように構成されている、請求項３に記載の画像表示装置。
【請求項１１】
前記制御部は、前記診断用再構成画像または前記参考用再構成画像の少なくともいずれか一方に前記所定の画像処理が行われた前記診断用再構成画像と前記参考用再構成画像とを互いに識別可能に前記表示部に重畳して表示させるとともに、前記診断用再構成画像と前記参考用再構成画像とが差分された差分画像と、前記診断用再構成画像または前記参考用再構成画像のいずれか一方とを前記表示部に重畳して表示させるように構成されている、請求項１０に記載の画像表示装置。
【請求項１２】
前記制御部は、複数の前記検出データからそれぞれ再構成された前記再構成画像を選択するための前記画像選択リストにおいて、再構成した前記検出データが互いに異なる前記再構成画像の組み合わせが選択された場合、前記表示部に警告を表示させるように構成されている、請求項２〜１１のいずれか１項に記載の画像表示装置。
【請求項１３】
被検体の診断に用いられる放射線または核磁気共鳴による信号の少なくともいずれかを検出する検出部と、
前記検出部により検出された前記放射線または前記信号に基づいて検出データを生成するデータ生成部と、
前記データ生成部により生成された前記検出データを再構成した再構成画像を生成する画像生成部と、
前記画像生成部で生成された前記再構成画像を表示する表示部と、
診断の基準とするために予め設定された所定の再構成処理により再構成された診断用の前記再構成画像である診断用再構成画像と、診断の参考とするために前記診断用再構成画像とは異なる再構成処理により再構成された参考用の前記再構成画像である参考用再構成画像と、を互いに識別可能なように前記表示部に表示させる制御部と、を備える、医用画像システム。
【発明の詳細な説明】
【技術分野】
【０００１】
本発明は、画像表示装置および医用画像システムに関し、特に、被検体の診断に用いられる放射線または核磁気共鳴による信号の少なくともいずれかに基づいて生成された検出データを再構成した再構成画像を表示する画像表示装置および医用画像システムに関する。
【背景技術】
【０００２】
従来、被検体の診断に用いられる放射線に基づいて生成された検出データを再構成した再構成画像を表示する画像表示装置を備えた医用画像システムが知られている（たとえば、特許文献１参照）。
【０００３】
上記特許文献１には、ＰＥＴ（Ｐｏｓｉｔｒｏｎ  Ｅｍｉｓｓｉｏｎ  Ｔｏｍｏｇｒａｐｈｙ）装置と、ＰＥＴ装置に用いられる画像表示装置と、を備えた医用画像システムが開示されている。上記特許文献１のＰＥＴ装置は、被検体内の放射性薬剤から発生した放射線（対消滅光子）を検出する複数の検出器を有したリング状の検出器ユニットと、同時計数回路と、を備えている。同時計数回路は、互いに対向するように配置された一対の検出器で検出された一対の光子の検出時刻差が所定時間以内の場合に、検出された一対の光子を一対の対消滅光子として計数する。また、上記特許文献１のＰＥＴ装置は、同時計数回路により対消滅光子を計数した一対の検出器の直線上を対消滅発生地点とする検出データを蓄積するように構成されている。また、上記特許文献１のＰＥＴ装置は、蓄積された検出データを再構成処理して画像（再構成画像）を生成する画像処理部を備えている。そして、上記特許文献１の画像表示装置は、ＰＥＴ装置の画像処理部により生成された再構成画像を表示するように構成されたモニタを備えている。
【先行技術文献】
【特許文献】
【０００４】
【特許文献１】特開２０１６−２００４１１号公報
【発明の概要】
【発明が解決しようとする課題】
【０００５】
ここで、上記特許文献１には明記されていないが、上記特許文献１に記載のような従来の医用画像システムでは、検出データが統計的に不十分な場合や、再構成画像を生成する際における過補正等に起因して、生成された再構成画像が、本来想定していた診断用の画像（診断用再構成画像）として不十分な場合がある。また、上記特許文献１に記載のＰＥＴ装置のように、蓄積された検出データを再構成処理して画像を生成する装置では、検出データの取得時間（被検体の撮影時間）が比較的長くなる。したがって、上記特許文献１に記載のような従来の医用画像システムでは、診断用として不十分な画像が生成された場合、診断の参考とするために、再構成画像を生成するために用いられた検出データと同一の検出データに基づいて、診断用再構成画像とは異なる再構成処理により再構成した再構成画像（参考用再構成画像）を別途生成する場合がある。
【０００６】
しかしながら、上記従来の医用画像システムでは、診断用再構成画像と参考用再構成画像とが同じ検出データから生成されているので、いずれの画像が診断用再構成画像であるか参考用再構成画像であるかが区別されていない場合があると考えられる。この場合、システムの使用者が、画像表示装置に表示された診断用再構成画像と参考用再構成画像とを目視により識別する作業や、識別した情報を画像データのヘッダにコメントとして入力する作業が必要であると考えられる。このため、上記従来の医用画像システムでは、診断の基準となる診断用再構成画像と診断の参考とするための参考用再構成画像とを識別するために使用者の作業負担が大きくなるという問題点が考えられる。なお、上記のような問題点は、上記特許文献１に記載のようなＰＥＴ装置に限らず、蓄積された検出データを予め設定された所定の再構成処理により再構成して再構成画像を生成するように構成された他の種類の装置（たとえば、ＣＴ装置、ＳＰＥＣＴ装置、ＭＲＩ装置、および、これらを組み合わせた装置等）でも同様に生じると考えられる。
【０００７】
この発明は、上記のような課題を解決するためになされたものであり、この発明の１つの目的は、使用者の作業負担が大きくなるのを抑制しながら、診断の基準となる診断用再構成画像と診断の参考とするための参考用再構成画像とを使用者に容易に識別させることが可能な画像表示装置および医用画像システムを提供することである。
【課題を解決するための手段】
【０００８】
上記目的を達成するために、この発明の第１の局面における画像表示装置は、被検体の診断に用いられる放射線または核磁気共鳴による信号の少なくともいずれかに基づいて生成された検出データを再構成した再構成画像を表示する画像表示装置であって、再構成画像を表示する表示部と、診断の基準とするために予め設定された所定の再構成処理により再構成された診断用の再構成画像である診断用再構成画像と、診断の参考とするために診断用再構成画像とは異なる再構成処理により再構成された参考用の再構成画像である参考用再構成画像と、を互いに識別可能なように表示部に表示させる制御部と、を備える。
【０００９】
この発明の第１の局面による画像表示装置では、上記のように、制御部は、診断用再構成画像と参考用再構成画像とを互いに識別可能なように表示部に表示させるように構成されている。これにより、装置の使用者は、診断用再構成画像と参考用再構成画像とを区別して認識するためのヘッダなどを入力する作業などの作業負担を必要とすることなく、表示部に表示された診断用再構成画像と参考用再構成画像とを容易に識別することができる。その結果、使用者の作業負担が大きくなるのを抑制しながら、診断の基準となる診断用再構成画像と診断の参考とするための参考用再構成画像とを使用者に容易に識別させることができる。
【００１０】
上記一の局面による画像表示装置において、好ましくは、制御部は、診断用再構成画像と参考用再構成画像とを含む再構成画像を選択するための画像選択リストを表示部に表示させるとともに、画像選択リストにおいて、診断用再構成画像または参考用再構成画像のいずれか一方が選択された場合、診断用再構成画像と参考用再構成画像とをセットで読み出した上で、診断用再構成画像と参考用再構成画像とを互いに識別可能に表示部に表示させるように構成されている。このように構成すれば、画像選択リストにおいて、診断用再構成画像または参考用再構成画像のいずれが選択された場合でも、診断用再構成画像と参考用再構成画像とがセットで読み出されるので、同一の検出データから生成された診断用再構成画像と参考用再構成画像とをそれぞれ個別に選択することなく表示部に表示させることができる。その結果、装置の使用者は、診断用再構成画像と参考用再構成画像とをそれぞれ個別に選択して表示部に表示させる場合と比較して、診断用再構成画像と参考用再構成画像とを容易に比較することができる。また、選択作業において、診断用再構成画像と参考用再構成画像とをセットで読み出すことによって、装置の使用者の選択の際の作業負担を軽減することができる。また、診断用再構成画像と参考用再構成画像とがセットで読み出されるので、複数の検出データからそれぞれ再構成された再構成画像が表示されている場合に、装置の使用者が、再構成した検出データが互いに異なる再構成画像の組み合わせを誤って選択してしまうのを抑制することができる。その結果、誤った画像の組み合わせが表示部に表示されることに起因して、装置の使用者が誤った診断を行ってしまうのを抑制することができる。
【００１１】
この場合、好ましくは、制御部は、セットで読み出された診断用再構成画像と参考用再構成画像とを、互いに識別可能なように、表示部に、並べて表示させるか、切り換えて個別に表示させるか、または、重畳して表示させるように構成されている。このように構成すれば、診断用再構成画像と参考用再構成画像とがセットで読み出されているので、診断用再構成画像と参考用再構成画像とを、表示部に、並べて表示させる場合、切り換えて個別に表示させる場合および重畳して表示させる場合のいずれでも、容易に互いに識別可能なように表示させることができる。
【００１２】
上記セットで読み出された診断用再構成画像と参考用再構成画像とを互いに識別可能なように表示部に表示させる構成において、好ましくは、制御部は、診断用再構成画像を識別するための枠で診断用再構成画像を囲むか、または、参考用再構成画像を識別するための枠で参考用再構成画像を囲むかのいずれかの状態で、診断用再構成画像と参考用再構成画像とを表示部に並べて表示させるように構成されている。このように構成すれば、画像を識別するための枠が、診断用再構成画像と参考用再構成画像とのいずれかを囲んだ状態で表示部に表示されるので、装置の使用者は、表示部に並べて表示された診断用再構成画像と参考用再構成画像とを容易に視覚的に識別することができる。
【００１３】
上記セットで読み出された診断用再構成画像と参考用再構成画像とを互いに識別可能なように表示部に表示させる構成において、好ましくは、制御部は、診断用再構成画像を表示部の予め設定された所定の位置に配置した状態で、診断用再構成画像と参考用再構成画像とを表示部に並べて表示させるように構成されている。このように構成すれば、診断用再構成画像が表示部の予め設定された所定の位置に表示されるので、装置の使用者は、表示部に並べて表示された診断用再構成画像と参考用再構成画像とを容易に視覚的に識別することができる。また、同一の検出データから複数種類が生成される場合がある参考用再構成画像と異なり、診断の基準とするために再構成される診断用再構成画像は原則として１種類のみが生成されるので、表示部の予め設定された所定の位置に表示させる画像として、診断用再構成画像が好ましい。
【００１４】
上記セットで読み出された診断用再構成画像と参考用再構成画像とを互いに識別可能なように表示部に表示させる構成において、好ましくは、制御部は、診断用再構成画像と検出データの一部のみを再構成した複数の参考用再構成画像とを互いに識別可能に表示部に並べて表示させるように構成されている。ここで、検出データを蓄積する間（被検体の撮影時）に被検体が動いてしまった場合、生成される診断用再構成画像および参考用再構成画像にはブレ（位置ずれ）が生じてしまう。したがって、上記のように構成すれば、検出データを被検体が動いた前後で分割して、複数の参考用再構成画像として表示部に表示させることができるので、ブレがある診断用再構成画像と、ブレのない複数の参考用再構成画像とを、表示部に並べて表示させることができる。その結果、装置の使用者は、撮影時に被検体が動いてしまった場合でも、被検体の動きによる画像への影響を考慮して診断することができる。
【００１５】
この場合、好ましくは、制御部は、検出データの一部のみを再構成した複数の参考用再構成画像を、放射線または信号の検出時刻に基づいて、表示部に時系列に並べて表示させるように構成されている。このように構成すれば、複数の参考用再構成画像を表示部に時系列に並べて表示させることができるので、装置の使用者は、被検体が動く前の参考用再構成画像と被検体が動いた後の参考用再構成画像とを容易に識別することができる。
【００１６】
上記セットで読み出された診断用再構成画像と参考用再構成画像とを互いに識別可能なように表示部に表示させる構成において、好ましくは、制御部は、診断用再構成画像または参考用再構成画像のいずれか一方に関心領域が設定された場合、診断用再構成画像または参考用再構成画像のいずれか他方に対して診断用再構成画像または参考用再構成画像のいずれか一方に設定された関心領域に対応する位置に関心領域が設定された状態で、診断用再構成画像または参考用再構成画像のいずれか他方を表示部に表示させるように構成されている。このように構成すれば、診断用再構成画像または参考用再構成画像のいずれか一方に関心領域が設定されると、診断用再構成画像および参考用再構成画像の他方にも関心領域が設定されるので、診断用再構成画像および参考用再構成画像それぞれに関心領域が個別に設定される場合と比較して、装置の使用者が関心領域を設定するための作業負担を抑制することができる。また、診断用再構成画像または参考用再構成画像のいずれか他方は、診断用再構成画像または参考用再構成画像のいずれか一方に設定された関心領域に対応する位置に関心領域が設定された状態で表示されるので、診断用再構成画像と参考用再構成画像との間で、設定された関心領域の位置がずれるのを抑制することができる。
【００１７】
この場合、好ましくは、制御部は、診断用再構成画像または参考用再構成画像のいずれか一方に設定された関心領域に対する画像解析の結果を表示部に表示させた場合、診断用再構成画像または参考用再構成画像のいずれか他方に設定された関心領域に対する画像解析の結果も表示部に表示させるように構成されている。このように構成すれば、診断用再構成画像または参考用再構成画像のいずれか一方に画像解析の結果を表示させるだけで、診断用再構成画像および参考用再構成画像のいずれか他方にも画像解析の結果が表示されるので、装置の使用者が診断用再構成画像における画像解析の結果と参考用再構成画像における画像解析の結果とを比較したい場合の使用者の作業負担を抑制することができる。
【００１８】
上記セットで読み出された診断用再構成画像と参考用再構成画像とを表示部に表示させる構成において、好ましくは、制御部は、診断用再構成画像または参考用再構成画像の少なくともいずれか一方に対して診断用再構成画像と参考用再構成画像とを識別するための所定の画像処理が行われた診断用再構成画像と参考用再構成画像とを互いに識別可能に表示部に重畳して表示させるように構成されている。このように構成すれば、装置の使用者は、診断用再構成画像と参考用再構成画像との差異を容易に確認することができるので、たとえば、機械学習や新しいアルゴリズムにより生成された参考用再構成画像の有用性の検討を容易に行うことができる。
【００１９】
この場合、好ましくは、制御部は、診断用再構成画像または参考用再構成画像の少なくともいずれか一方に所定の画像処理が行われた診断用再構成画像と参考用再構成画像とを互いに識別可能に表示部に重畳して表示させるとともに、診断用再構成画像と参考用再構成画像とが差分された差分画像と、診断用再構成画像または参考用再構成画像のいずれか一方とを表示部に重畳して表示させるように構成されている。このように構成すれば、差分画像と、診断用再構成画像または参考用再構成画像のいずれか一方とが表示部に重畳して表示されるので、装置の使用者は、診断用再構成画像と参考用再構成画像との差異をより容易に確認することができる。
【００２０】
上記制御部が再構成画像を選択するための画像選択リストを表示部に表示させる構成において、好ましくは、制御部は、複数の検出データからそれぞれ再構成された再構成画像を選択するための画像選択リストにおいて、再構成した検出データが互いに異なる再構成画像の組み合わせが選択された場合、表示部に警告を表示させるように構成されている。このように構成すれば、画像選択リストに複数の検出データからそれぞれ再構成された再構成画像が表示されている場合に、装置の使用者が、再構成した検出データが互いに異なる再構成画像の組み合わせを誤って選択してしまうのをより抑制することができる。その結果、誤った画像の組み合わせが表示部に表示されることに起因して、装置の使用者が誤った診断を行ってしまうのをより抑制することができる。
【００２１】
上記目的を達成するために、この発明の第２の局面における医用画像システムは、被検体の診断に用いられる放射線または核磁気共鳴による信号の少なくともいずれかを検出する検出部と、検出部により検出された放射線または信号に基づいて検出データを生成するデータ生成部と、データ生成部により生成された検出データを再構成した再構成画像を生成する画像生成部と、画像生成部で生成された再構成画像を表示する表示部と、診断の基準とするために予め設定された所定の再構成処理により再構成された診断用の再構成画像である診断用再構成画像と、診断の参考とするために診断用再構成画像とは異なる再構成処理により再構成された参考用の再構成画像である参考用再構成画像と、を互いに識別可能なように表示部に表示させる制御部と、を備える。
【００２２】
この発明の第２の局面による医用画像システムでは、上記のように、制御部は、診断用再構成画像と参考用再構成画像とを互いに識別可能なように表示部に表示させるように構成されている。これにより、システムの使用者は、診断用再構成画像と参考用再構成画像とを区別して認識するためのヘッダなどを入力する作業などの作業負担を必要とすることなく、表示部に表示された診断用再構成画像と参考用再構成画像とを容易に識別することができる。その結果、使用者の作業負担が大きくなるのを抑制しながら、診断の基準となる診断用再構成画像と診断の参考とするための参考用再構成画像とを使用者に容易に識別させることが可能な医用画像システムを提供することができる。また、システム自体が、検出部、データ生成部および画像生成部を備えるので、システムの外部で生成された検出データを再構成した再構成画像を取得する場合と比較して、診断用再構成画像と参考用再構成画像とを容易に表示部に表示させることができる。
【発明の効果】
【００２３】
本発明によれば、上記のように、使用者の作業負担が大きくなるのを抑制しながら、診断の基準となる診断用再構成画像と診断の参考とするための参考用再構成画像とを使用者に容易に識別させることができる。
【図面の簡単な説明】
【００２４】
【図１】本発明の第１〜第５実施形態による医用画像システムの全体構成を示した図である。
【図２】本発明の第１〜第５実施形態による医用画像システムの制御に関するブロック図である。
【図３】本発明の第１実施形態による医用画像システムにおける再構成画像の生成を説明するための図である。
【図４】本発明の第１実施形態による医用画像システムにおける画像選択リストの表示を説明するための図である。
【図５】本発明の第１実施形態による医用画像システムにおける再構成画像の表示例を示した図である。
【図６】本発明の第２実施形態による医用画像システムにおける再構成画像の生成を説明するための図である。
【図７】本発明の第２実施形態による医用画像システムにおける再構成画像の表示例を示した図である。
【図８】本発明の第３実施形態による医用画像システムにおける再構成画像の表示例を示した図である。
【図９】本発明の第４実施形態による医用画像システムにおける診断用再構成画像と参考用再構成画像との重畳画像を説明するための図である。
【図１０】本発明の第４実施形態による医用画像システムにおける診断用再構成画像と、診断用再構成画像と参考用再構成画像との差分画像との重畳画像を説明するための図である。
【図１１】本発明の第４実施形態による医用画像システムにおける再構成画像の表示例を示した図である。
【図１２】本発明の第５実施形態による医用画像システムにおける再構成画像の生成を説明するための図である。
【図１３】本発明の第５実施形態による医用画像システムにおける画像選択リストの表示を説明するための図である。
【図１４】本発明の第５実施形態による医用画像システムにおける警告メッセージの表示を説明するための図である。
【発明を実施するための形態】
【００２５】
以下、本発明を具体化した実施形態を図面に基づいて説明する。
【００２６】
［第１実施形態］
図１〜図５を参照して、本発明の第１実施形態による画像表示装置３０を備える医用画像システム１００の構成について説明する。
【００２７】
図１に示すように、医用画像システム１００は、被検体Ｐの乳房Ｐａを診断するためのシステムである。医用画像システム１００は、ＰＥＴ装置１０と、制御装置２０と、画像表示装置３０と、を備えている。
【００２８】
ＰＥＴ装置１０は、被検体Ｐに予め投与された放射性薬剤から発生した放射線（光子）を検出することにより、被検体Ｐの乳房Ｐａの撮像を行う装置である。ＰＥＴ装置１０は、ガントリ１１と、検出部１２と、を備えている。
【００２９】
ガントリ１１は、被検体Ｐを載置するための載置面１１ａと、被検体Ｐの乳房Ｐａを挿入するための開口部１１ｂと、を含む。検出部１２は、被検体Ｐの内部に投与された放射性薬剤からの放射線を検出するための検出器が設けられている。検出部１２は、開口部１１ｂに挿入された乳房Ｐａの周りを取り囲むように円環形状を有している。
【００３０】
図２に示すように、ＰＥＴ装置１０は、データ生成部１３を備えている。データ生成部１３は、検出部１２により検出された放射線に基づいて３次元の検出データＤ（図３参照）を生成するように構成されている。
【００３１】
制御装置２０は、制御部２１と、画像生成部２２と、記憶部２３と、操作部２４と、を備えている。
【００３２】
制御部２１は、ＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）およびＲＡＭ（Ｒａｎｄｏｍ Ａｃｃｅｓｓ Ｍｅｍｏｒｙ）などを含んで構成されたコンピュータである。制御部２１は、医用画像システム１００の各種構成を制御するように構成されている。
【００３３】
画像生成部２２は、データ生成部１３により生成された検出データＤ（図３参照）を再構成した再構成画像Ｉ（図３参照）を生成するように構成されている。なお、医用画像システム１００では、検出データＤ（図３参照）は、再構成画像Ｉ（図３参照）を生成するために統計的に十分に蓄積されたデータとする。
【００３４】
図３に示すように、再構成画像Ｉは、診断用の再構成画像Ｉである診断用再構成画像Ｉ１と、参考用の再構成画像Ｉである参考用再構成画像Ｉ２と、を含む。診断用再構成画像Ｉ１は、画像表示装置３０（医用画像システム１００）の使用者が診断の基準とするために予め設定された所定の再構成処理Ｒ１により再構成された再構成画像Ｉである。参考用再構成画像Ｉ２は、画像表示装置３０（医用画像システム１００）の使用者が診断の参考とするために診断用再構成画像Ｉ１とは異なる再構成処理Ｒ２により再構成された再構成画像Ｉである。なお、医用画像システム１００では、「異なる再構成処理」とは、画像を生成する際に異なる補正処理を施すことを意味する。補正処理は、たとえば、吸収補正や散乱補正等である。
【００３５】
医用画像システム１００では、診断用再構成画像Ｉ１は、原則として、再構成処理Ｒ１により再構成された１種類の診断用再構成画像Ｉ１のみが生成されるように構成されている。これに対して、参考用再構成画像Ｉ２は、再構成処理Ｒ２の種類に応じて、複数種類の参考用再構成画像Ｉ２が生成されるように構成されている。図３では、同一の検出データＤから、互いに異なる再構成処理Ｒ２ａ、Ｒ２ｂおよびＲ２ｃにより、それぞれ、参考用再構成画像Ｉ２ａ、Ｉ２ｂおよびＩ２ｃが生成された例を示している。
【００３６】
図２に示すように、記憶部２３は、たとえば、不揮発性のメモリまたはハードディスクドライブ（ＨＤＤ）などを含む。記憶部２３には、制御部２１の処理に用いられるプログラム等が記憶されている。記憶部２３は、データ生成部１３により生成された検出データＤと、画像生成部２２により生成された再構成画像Ｉ（図３参照）と、を記憶できるように構成されている。
【００３７】
操作部２４は、たとえば、マウスやキーボード等を含む。操作部２４は、医用画像システム１００の使用者からの入力操作を受け付けるように構成されている。操作部２４は、受け付けた入力操作を制御部２１に伝達するように構成されている。
【００３８】
画像表示装置３０は、表示制御部３１と、表示部３２と、を備えている。なお、表示制御部３１は、特許請求の範囲の「制御部」の一例である。
【００３９】
表示制御部３１は、ＣＰＵおよびＲＡＭなどを含んで構成されたコンピュータである。表示制御部３１は、画像生成部２２により生成された再構成画像Ｉ（図３参照）を表示部３２に表示させる制御を行うように構成されている。また、表示制御部３１は、医用画像システム１００の使用者が再構成画像Ｉを選択するための画像選択リストＬ２（図４参照）を表示部３２に表示させる制御を行うように構成されている。
【００４０】
表示部３２は、たとえば、液晶ディスプレイ、有機ＥＬディスプレイ、無機ＥＬディスプレイなどにより構成されている。
【００４１】
ここで、第１実施形態では、表示制御部３１は、診断用再構成画像Ｉ１（図３参照）と、参考用再構成画像Ｉ２（図３参照）と、を互いに識別可能なように表示部３２に表示させるように構成されている。詳細には、表示制御部３１は、画像選択リストＬ２（図４参照）において、診断用再構成画像Ｉ１または参考用再構成画像Ｉ２のいずれか一方が選択された場合、診断用再構成画像Ｉ１と参考用再構成画像Ｉ２とをセットで読み出した上で、診断用再構成画像Ｉ１と参考用再構成画像Ｉ２とを互いに識別可能に表示部３２に並べて表示させるように構成されている。
【００４２】
具体的には、図４に示すように、表示制御部３１は、患者毎の検出データＤ（図３参照）を選択するための患者選択リストＬ１を表示部３２に表示させる。そして、表示制御部３１は、画像表示装置３０（医用画像システム１００）の使用者が患者選択リストＬ１の中から操作部２４により選択した患者の再構成画像Ｉを選択するための画像選択リストＬ２を表示部３２に表示させる。なお、図４に示す患者選択リストＬ１では、患者名がＡＡＡＡおよびＢＢＢＢの２名がリスト表示されている。また、図４に示す画像選択リストＬ２では、Ｉｍａｇｅ  Ｓｅｒｉｅｓ（ファイル名）の１０００１００１、１０００１００２、１０００１００３および１０００１００４が、それぞれ、図３に示した診断用再構成画像Ｉ１、参考用再構成画像Ｉ２ａ、参考用再構成画像Ｉ２ｂおよび参考用再構成画像Ｉ２ｃに対応する。なお、画像表示装置３０（医用画像システム１００）では、患者選択リストＬ１が選択されて、画像選択リストＬ２を表示させる際に、診断用再構成画像Ｉ１に対応するファイル名の横に診断用再構成画像Ｉ１であることを示すチェック４１が表示されるように構成されている。つまり、チェック４１が付されているか否かによって、診断用再構成画像Ｉ１と参考用再構成画像Ｉ２とを識別することが可能になる。
【００４３】
画像表示装置３０（医用画像システム１００）の使用者により、Ｉｍａｇｅ  Ｓｅｒｉｅｓの１０００１００１、１０００１００２、１０００１００３および１０００１００４のいずれかが選択されると、制御部２１（図２参照）は、Ｉｍａｇｅ  Ｓｅｒｉｅｓの１０００１００１、１０００１００２、１０００１００３および１０００１００４をセットで（つまり、診断用再構成画像Ｉ１と、参考用再構成画像Ｉ２ａ、Ｉ２ｂおよびＩ２ｃとをセットで）読み出す。そして、表示制御部３１（図２参照）は、制御部２１（図２参照）により制御されて、図５に示すように、診断用再構成画像Ｉ１と、参考用再構成画像Ｉ２ａ、Ｉ２ｂおよびＩ２ｃとを、表示部３２（図２参照）に並べて表示させる。なお、図５では、それぞれの再構成画像Ｉにおいて、複数のファントム（模型）を並べて表示させた例を示している。
【００４４】
また、第１実施形態では、表示制御部３１（図２参照）は、再構成画像Ｉを表示部３２（図２参照）に並べて表示させる際に、診断用再構成画像Ｉ１と参考用再構成画像Ｉ２とを、以下の２つの方法により画像表示装置３０（医用画像システム１００）の使用者が識別可能なように表示させるように構成されている。１つ目の方法として、図５に示すように、表示制御部３１は、診断用再構成画像Ｉ１を識別するための枠４２で診断用再構成画像Ｉ１を囲んだ状態で、診断用再構成画像Ｉ１と参考用再構成画像Ｉ２とを表示部３２に並べて表示させる。具体的には、表示制御部３１は、表示部３２に表示された再構成画像Ｉのうち診断用再構成画像Ｉ１のみに再構成画像Ｉを囲む枠４２を表示させる。枠４２は、たとえば、赤色等で表示させて視認性を向上させてもよい。２つ目の方法として、図５に示すように、表示制御部３１は、診断用再構成画像Ｉ１を表示部３２の予め設定された所定の位置に配置した状態で、診断用再構成画像Ｉ１と参考用再構成画像Ｉ２とを表示部３２に並べて表示させる。具体的には、表示制御部３１は、複数の再構成画像Ｉを並べて表示させる場合に、診断用再構成画像Ｉ１を最も左側かつ最も上側に表示させる。
【００４５】
（第１実施形態の効果）
第１実施形態では、以下のような効果を得ることができる。
【００４６】
第１実施形態では、上記のように、表示制御部３１を、診断用再構成画像Ｉ１と参考用再構成画像Ｉ２とを互いに識別可能なように表示部３２に表示させるように構成する。これにより、画像表示装置３０（医用画像システム１００）の使用者は、診断用再構成画像Ｉ１と参考用再構成画像Ｉ２とを区別して認識するためのヘッダなどを入力する作業などの作業負担を必要とすることなく、表示部３２に表示された診断用再構成画像Ｉ１と参考用再構成画像Ｉ２とを容易に識別することができる。その結果、画像表示装置３０（医用画像システム１００）の使用者の作業負担が大きくなるのを抑制しながら、診断の基準となる診断用再構成画像Ｉ１と診断の参考とするための参考用再構成画像Ｉ２とを使用者に容易に識別させることができる。
【００４７】
また、第１実施形態では、上記のように、表示制御部３１を、診断用再構成画像Ｉ１と参考用再構成画像Ｉ２とを含む再構成画像Ｉを選択するための画像選択リストＬ２を表示部３２に表示させるように構成する。また、表示制御部３１を、画像選択リストＬ２において、診断用再構成画像Ｉ１または参考用再構成画像Ｉ２のいずれか一方が選択された場合、診断用再構成画像Ｉ１と参考用再構成画像Ｉ２とをセットで読み出した上で、診断用再構成画像Ｉ１と参考用再構成画像Ｉ２とを互いに識別可能に表示部３２に表示させるように構成する。これにより、画像選択リストＬ２において、診断用再構成画像Ｉ１または参考用再構成画像Ｉ２のいずれが選択された場合でも、診断用再構成画像Ｉ１と参考用再構成画像Ｉ２とがセットで読み出されるので、同一の検出データＤから生成された診断用再構成画像Ｉ１と参考用再構成画像Ｉ２とをそれぞれ個別に選択することなく表示部３２に表示させることができる。その結果、画像表示装置３０（医用画像システム１００）の使用者は、診断用再構成画像Ｉ１と参考用再構成画像Ｉ２とをそれぞれ個別に選択して表示部３２に表示させる場合と比較して、診断用再構成画像Ｉ１と参考用再構成画像Ｉ２とを容易に比較することができる。また、選択作業において、診断用再構成画像Ｉ１と参考用再構成画像Ｉ２とをセットで読み出すことによって、画像表示装置３０（医用画像システム１００）の使用者の選択の際の作業負担を軽減することができる。
【００４８】
また、第１実施形態では、上記のように、表示制御部３１を、セットで読み出された診断用再構成画像Ｉ１と参考用再構成画像Ｉ２とを、互いに識別可能なように、表示部３２に並べて表示させるように構成する。これにより、診断用再構成画像Ｉ１と参考用再構成画像Ｉ２とがセットで読み出されているので、診断用再構成画像Ｉ１と参考用再構成画像Ｉ２とを、表示部３２に並べて表示させる場合でも、容易に互いに識別可能なように表示させることができる。
【００４９】
また、第１実施形態では、上記のように、表示制御部３１を、診断用再構成画像Ｉ１を識別するための枠４２で診断用再構成画像Ｉ１を囲んだ状態で、診断用再構成画像Ｉ１と参考用再構成画像Ｉ２とを表示部３２に並べて表示させるように構成する。これにより、画像を識別するための枠４２が、診断用再構成画像Ｉ１を囲んだ状態で表示部３２に表示されるので、画像表示装置３０（医用画像システム１００）の使用者は、表示部３２に並べて表示された診断用再構成画像Ｉ１と参考用再構成画像Ｉ２とを容易に視覚的に識別することができる。
【００５０】
また、第１実施形態では、上記のように、表示制御部３１を、診断用再構成画像Ｉ１を表示部３２の予め設定された所定の位置に配置した状態で、診断用再構成画像Ｉ１と参考用再構成画像Ｉ２とを表示部３２に並べて表示させるように構成する。これにより、診断用再構成画像Ｉ１が表示部３２の予め設定された所定の位置に表示されるので、画像表示装置３０（医用画像システム１００）は、表示部３２に並べて表示された診断用再構成画像Ｉ１１と参考用再構成画像Ｉ２とを容易に視覚的に識別することができる。また、同一の検出データＤから複数種類が生成される場合がある参考用再構成画像Ｉ２と異なり、診断の基準とするために再構成される診断用再構成画像Ｉ１は原則として１種類のみが生成されるので、表示部３２の予め設定された所定の位置に表示させる画像として、診断用再構成画像Ｉ１が好ましい。
【００５１】
［第２実施形態］
図１、図２、図６および図７を参照して、第２実施形態について説明する。この第２実施形態では、検出データＤ２００の一部のみを再構成した複数の参考用再構成画像Ｉ２０２を表示部３２に表示させるように構成した例について説明する。なお、図中において、上記第１実施形態と同様の構成の部分には、同一の符号を付している。
【００５２】
図１に示すように、本発明の第２実施形態による医用画像システム２００は、制御装置２２０と、画像表示装置２３０と、を備えている。
【００５３】
図２に示すように、制御装置２２０は、画像生成部２２２を備えている。画像生成部２２２は、データ生成部１３により生成された検出データＤ２００（図６参照）を再構成した再構成画像Ｉ２００（図６参照）を生成するように構成されている。
【００５４】
図６に示すように、再構成画像Ｉ２００は、診断用の再構成画像Ｉ２００である診断用再構成画像Ｉ２０１と、参考用の再構成画像Ｉ２００である参考用再構成画像Ｉ２０２と、を含む。診断用再構成画像Ｉ２０１は、予め設定された所定の再構成処理Ｒ１により再構成された再構成画像Ｉ２００である。参考用再構成画像Ｉ２０２は、診断用再構成画像Ｉ２０１とは異なる再構成処理Ｒ２０２により再構成された再構成画像Ｉ２００である。
【００５５】
第２実施形態では、画像生成部２２２（図２参照）は、検出データＤ２００の一部のみを再構成した複数の参考用再構成画像Ｉ２０２を生成するように構成されている。具体的には、画像生成部２２２は、検出データＤ２００のうち、検出時刻ＴＳから検出時刻Ｔ１までの間の検出データＤ２００ａを再構成処理Ｒ２０２により再構成した参考用再構成画像Ｉ２０２ａと、検出時刻Ｔ１から検出時刻ＴＦまでの間の検出データＤ２００ｂを再構成処理Ｒ２０２により再構成した参考用再構成画像Ｉ２０２ｂと、を生成する。なお、検出時刻ＴＳ、ＴＦおよびＴ１は、それぞれ、検出データＤ２００の検出を開始した時刻、検出データＤ２００の検出を終了した時刻、および、検出時刻ＴＳと検出時刻ＴＦとの間の時刻である。検出時刻Ｔ１は、ＰＥＴ装置１０による被検体Ｐの撮影中（検出部１２による検出データＤ２００の検出中）に被検体Ｐが動いてしまった時刻である。検出時刻Ｔ１は、たとえば、光学カメラ（図示しない）により撮影された被検体Ｐの撮影記録に基づいて設定される。
【００５６】
図２に示すように、画像表示装置２３０は、表示制御部２３１を備えている。なお、表示制御部２３１は、特許請求の範囲の「制御部」の一例である。
【００５７】
表示制御部２３１は、画像生成部２２２により生成された再構成画像Ｉ２００（図６参照）を表示部３２に表示させる制御を行うように構成されている。
【００５８】
第２実施形態では、図７に示すように、表示制御部２３１（図２参照）は、診断用再構成画像Ｉ２０１と検出データＤ２００の一部のみを再構成した複数の参考用再構成画像Ｉ２０２とを互いに識別可能に表示部３２に並べて表示させるように構成されている。詳細には、表示制御部２３１は、複数の参考用再構成画像Ｉ２０２ａおよびＩ２０２ｂを、検出部１２（図２参照）による放射線の検出時刻に基づいて、表示部３２に時系列に並べて表示させるように構成されている。
【００５９】
具体的には、表示制御部２３１（図２参照）は、診断用再構成画像Ｉ２０１、参考用再構成画像Ｉ２０２ａおよび参考用再構成画像Ｉ２０２ｂを、それぞれ、表示部３２の左部、中央部および右部に、並べて表示させる。なお、図７では、被検体ＰがＰＥＴ装置１０による撮影中に動いたため、ブレ（位置ずれ）が生じた診断用再構成画像Ｉ２０１と、被検体Ｐが動く前の参考用再構成画像Ｉ２０２ａと、被検体Ｐが動いた後の参考用再構成画像Ｉ２０２ｂとが並べて表示された例を示している。
【００６０】
なお、第２実施形態による医用画像システム２００のその他の構成は、上記第１実施形態と同様である。
【００６１】
（第２実施形態の効果）
第２実施形態では、上記のように、表示制御部２３１を、診断用再構成画像Ｉ２０１と参考用再構成画像Ｉ２０２とを互いに識別可能なように表示部３２に表示させるように構成する。これにより、第１実施形態と同様に、画像表示装置２３０（医用画像システム２００）の使用者の作業負担が大きくなるのを抑制しながら、診断の基準となる診断用再構成画像Ｉ２０１と診断の参考とするための参考用再構成画像Ｉ２０２とを使用者に容易に識別させることができる。
【００６２】
また、第２実施形態では、上記のように、表示制御部２３１を、診断用再構成画像Ｉ２０１と検出データＤ２００の一部のみを再構成した複数の参考用再構成画像Ｉ２０２とを互いに識別可能に表示部３２に並べて表示させるように構成する。これにより、検出データＤ２００を蓄積する間（被検体Ｐの撮影時）に被検体Ｐが動いた前後で検出データＤ２００を分割して、複数の参考用再構成画像Ｉ２０２として表示部３２に表示させることができるので、ブレがある診断用再構成画像Ｉ２０１と、ブレのない複数の参考用再構成画像Ｉ２０２とを、表示部３２に並べて表示させることができる。その結果、画像表示装置２３０（医用画像システム２００）の使用者は、撮影時に被検体Ｐが動いてしまった場合でも、被検体Ｐの動きによる画像への影響を考慮して診断することができる。
【００６３】
また、第２実施形態では、上記のように、表示制御部２３１を、検出データＤ２００の一部のみを再構成した複数の参考用再構成画像Ｉ２０２を、放射線の検出時刻に基づいて、表示部３２に時系列に並べて表示させるように構成する。これにより、複数の参考用再構成画像Ｉ２０２を表示部３２に時系列に並べて表示させることができるので、画像表示装置２３０（医用画像システム２００）の使用者は、被検体Ｐが動く前の参考用再構成画像Ｉ２０２ａと被検体Ｐが動いた後の参考用再構成画像Ｉ２０２ｂとを容易に識別することができる。
【００６４】
なお、第２実施形態のその他の効果は、上記第１実施形態と同様である。
【００６５】
［第３実施形態］
図１、図２および図８を参照して、第３実施形態について説明する。この第３実施形態では、診断用再構成画像Ｉ１と参考用再構成画像Ｉ２とを表示部３２に個別に切り換えて表示させるように構成した例について説明する。なお、図中において、上記第１実施形態と同様の構成の部分には、同一の符号を付している。
【００６６】
図１に示すように、本発明の第３実施形態による医用画像システム３００は、画像表示装置３３０を備えている。
【００６７】
図２に示すように、画像表示装置３３０は、表示制御部３３１を備えている。なお、表示制御部３３１は、特許請求の範囲の「制御部」の一例である。
【００６８】
第３実施形態では、図８に示すように、表示制御部３３１（図２参照）は、診断用再構成画像Ｉ１と参考用再構成画像Ｉ２とを、互いに識別可能なように、表示部３２に切り換えて個別に表示させるように構成されている。具体的には、画像選択リストＬ２（図４）において、参考用再構成画像Ｉ２が選択された場合、図８の左図に示すように、参考用再構成画像Ｉ２が表示される。また、画像選択リストＬ２（図４）において、診断用再構成画像Ｉ１が選択された場合、図８の右図に示すように、診断用再構成画像Ｉ１が表示される。そして、画像表示装置３３０（医用画像システム３００）の使用者が、表示部３２に表示された画像切換えチェックボックス４３をＯＮの状態とＯＦＦの状態とに切り換えることにより、それぞれ、図８の左図に示した参考用再構成画像Ｉ２が表示された状態と、図８の右図に示した診断用再構成画像Ｉ１が表示された状態とが切り換わる。なお、図８の左図では、画像選択リストＬ２（図４）において、参考用再構成画像Ｉ２のうち、参考用再構成画像Ｉ１２ａが選択された例を示している。また、図８では、それぞれの再構成画像Ｉを３つの異なるアングルにより表示させた例を示している。
【００６９】
ここで、医用画像システム３００では、表示部３２に表示された診断用再構成画像Ｉ１と参考用再構成画像Ｉ２とに対して、画像表示装置３３０（医用画像システム３００）の使用者が、関心領域５０を設定することが可能に構成されている。さらに、医用画像システム３００では、画像表示装置３３０（医用画像システム３００）の使用者により設定された関心領域５０に対して、画像解析が行われるように構成されている。
【００７０】
第３実施形態では、表示制御部３３１（図２参照）は、診断用再構成画像Ｉ１に関心領域５０が設定された場合、参考用再構成画像Ｉ２に対して診断用再構成画像Ｉ１に設定された関心領域５０に対応する位置に関心領域５０が設定された状態で、参考用再構成画像Ｉ２を表示部３２（図２参照）に表示させるように構成されている。また、表示制御部３３１は、参考用再構成画像Ｉ２に関心領域５０が設定された場合、診断用再構成画像Ｉ１に対して参考用再構成画像Ｉ２に設定された関心領域５０に対応する位置に関心領域５０が設定された状態で、診断用再構成画像Ｉ１を表示部３２に表示させるように構成されている。
【００７１】
具体的には、図８の左図に示すように、表示部３２に表示された３つの参考用再構成画像Ｉ２ａに対して、それぞれ、関心領域５２ａ、５２ｂおよび５２ｃを設定する。なお、医用画像システム３００では、関心領域５２ａ、５２ｂおよび５２ｃ（関心領域５１ａ、５１ｂおよび５１ｃ）は、それぞれ、個別に設定するように構成されている。参考用再構成画像Ｉ２ａに対して関心領域５２ａ、５２ｂおよび５２ｃが設定された状態で、画像切換えチェックボックス４３をＯＦＦの状態に切り換えると、図８の右図に示すように、診断用再構成画像Ｉ１に対して、関心領域５１ａ、５１ｂおよび５１ｃが設定された状態で表示部３２に表示される。医用画像システム３００では、関心領域５１ａ、５１ｂおよび５１ｃは、関心領域５２ａ、５２ｂおよび５２ｃに対応する位置（被検体Ｐに対する相対位置が等しい位置）となるように設定される。
【００７２】
さらに、第３実施形態では、図８に示すように、表示制御部３３１（図２参照）は、参考用再構成画像Ｉ２に設定された関心領域５０に対する画像解析の結果６０を表示部３２（図２参照）に表示させた場合、診断用再構成画像Ｉ１に設定された関心領域５０に対する画像解析の結果６０も表示部３２に表示させるように構成されている。また、表示制御部３３１は、診断用再構成画像Ｉ１に設定された関心領域５０に対する画像解析の結果６０を表示部３２に表示させた場合、参考用再構成画像Ｉ２に設定された関心領域５０に対する画像解析の結果６０も表示部３２に表示させるように構成されている。
【００７３】
具体的には、図８の左図に示すように、表示部３２に表示された３つの参考用再構成画像Ｉ２ａに対して、それぞれ、関心領域５２ａ、５２ｂおよび５２ｃを設定された状態で、画像表示装置３３０（医用画像システム３００）の使用者により画像解析開始ボタン（図示しない）が操作されると、関心領域５２ａ、５２ｂおよび５２ｃに対する画像解析が行われる。そして、表示制御部３３１は、関心領域５２ａ、５２ｂおよび５２ｃに対する画像解析の結果６２を、表示部３２に表示させる。関心領域５２ａ、５２ｂおよび５２ｃに対する画像解析が開始されると、医用画像システム３００では、関心領域５１ａ、５１ｂおよび５１ｃに対する画像解析も行うように構成されている。したがって、画像解析の結果６２が表示された状態で、画像切換えチェックボックス４３をＯＦＦの状態に切り換えると、図８の右図に示すように、関心領域５１ａ、５１ｂおよび５１ｃに対する画像解析の結果６１が表示部３２に表示される。なお、画像解析の項目は、たとえば、再構成画像Ｉにおける画素値の最大値（Ｍａｘ）、平均値（Ｍｅａｎ）、分散、偏差（Ｓ．Ｄ．）等を含む。また、医用画像システム３００では、画像解析の結果６１または画像解析の結果６２と併せて、画像解析の結果６１と画像解析の結果６２との差分を表示させることも可能である。
【００７４】
なお、第３実施形態による医用画像システム３００のその他の構成は、上記第１実施形態と同様である。
【００７５】
（第３実施形態の効果）
第３実施形態では、上記のように、表示制御部３３１を、診断用再構成画像Ｉ１と参考用再構成画像Ｉ２とを互いに識別可能なように表示部３２に表示させるように構成する。これにより、第１および第２実施形態と同様に、画像表示装置３３０（医用画像システム３００）の使用者の作業負担が大きくなるのを抑制しながら、診断の基準となる診断用再構成画像Ｉ１と診断の参考とするための参考用再構成画像Ｉ２とを使用者に容易に識別させることができる。
【００７６】
また、第３実施形態では、上記のように、表示制御部３３１を、セットで読み出された診断用再構成画像Ｉ１と参考用再構成画像Ｉ２とを、互いに識別可能なように、表示部３２に切り換えて個別に表示させるように構成する。これにより、診断用再構成画像Ｉ１と参考用再構成画像Ｉ２とを、表示部３２に切り換えて個別に表示させる場合でも、第１および第２実施形態と同様に、容易に互いに識別可能なように表示させることができる。
【００７７】
また、第３実施形態では、上記のように、表示制御部３３１を、診断用再構成画像Ｉ１または参考用再構成画像Ｉ２のいずれか一方に関心領域５０が設定された場合、診断用再構成画像Ｉ１または参考用再構成画像Ｉ２のいずれか他方に対して診断用再構成画像Ｉ１または参考用再構成画像Ｉ２のいずれか一方に設定された関心領域５０に対応する位置に関心領域５０が設定された状態で、診断用再構成画像Ｉ１または参考用再構成画像Ｉ２のいずれか他方を表示部３２に表示させるように構成する。これにより、診断用再構成画像Ｉ１または参考用再構成画像Ｉ２のいずれか一方に関心領域５０が設定されると、診断用再構成画像Ｉ１および参考用再構成画像Ｉ２の他方にも関心領域５０が設定されるので、診断用再構成画像Ｉ１および参考用再構成画像Ｉ２それぞれに関心領域５０が個別に設定される場合と比較して、画像表示装置３３０（医用画像システム３００）の使用者が関心領域５０を設定するための作業負担を抑制することができる。また、診断用再構成画像Ｉ１または参考用再構成画像Ｉ２のいずれか他方は、診断用再構成画像Ｉ１または参考用再構成画像Ｉ２のいずれか一方に設定された関心領域５０に対応する位置に関心領域５０が設定された状態で表示されるので、診断用再構成画像Ｉ１と参考用再構成画像Ｉ２との間で、設定された関心領域５０の位置がずれるのを抑制することができる。
【００７８】
また、第３実施形態では、上記のように、表示制御部３３１を、診断用再構成画像Ｉ１または参考用再構成画像のいずれか一方に設定された関心領域５０に対する画像解析の結果６０を表示部３２に表示させた場合、診断用再構成画像Ｉ１または参考用再構成画像のいずれか他方に設定された関心領域５０に対する画像解析の結果６０も表示部３２に表示させるように構成する。これにより、診断用再構成画像Ｉ１または参考用再構成画像のいずれか一方に画像解析の結果６０を表示させるだけで、診断用再構成画像Ｉ１および参考用再構成画像のいずれか他方にも画像解析の結果６０が表示されるので、画像表示装置３３０（医用画像システム３００）の使用者が診断用再構成画像Ｉ１における画像解析の結果６１と参考用再構成画像における画像解析の結果６２とを比較したい場合の使用者の作業負担を抑制することができる。
【００７９】
なお、第３実施形態のその他の効果は、上記第１および第２実施形態と同様である。
【００８０】
［第４実施形態］
図１、図２および図９〜図１１を参照して、第４実施形態について説明する。この第４実施形態では、診断用再構成画像Ｉ１と参考用再構成画像Ｉ２とを表示部３２に重畳して表示させるように構成した例について説明する。なお、図中において、上記第１〜第３実施形態と同様の構成の部分には、同一の符号を付している。
【００８１】
図１に示すように、本発明の第４実施形態による医用画像システム４００は、制御装置４２０と、画像表示装置４３０と、を備えている。
【００８２】
図２に示すように、制御装置４２０は、画像生成部４２２を備えている。画像生成部４２２は、参考用再構成画像Ｉ２（図９参照）に所定の画像処理を行うことが可能に構成されている。なお、医用画像システム４００では、所定の画像処理は、カラーの変更である。
【００８３】
画像表示装置４３０は、表示制御部４３１を備えている。なお、表示制御部４３１は、特許請求の範囲の「制御部」の一例である。
【００８４】
第４実施形態では、表示制御部４３１は、診断用再構成画像Ｉ１（図９参照）と参考用再構成画像Ｉ２（図９参照）とを互いに識別可能に表示部３２に重畳して表示させるように構成されている。詳細には、表示制御部４３１は、参考用再構成画像Ｉ２に対して診断用再構成画像Ｉ１と参考用再構成画像Ｉ２とを識別するためにカラーの変更を行った診断用再構成画像Ｉ１と参考用再構成画像Ｉ２とを互いに識別可能に表示部３２に重畳して表示させるように構成されている。具体的には、図９に示すように、画像生成部４２２（図２参照）は、参考用再構成画像Ｉ２のカラーを変更した参考用再構成画像Ｉ２ｘを生成する。そして、表示制御部４３１（図２参照）は、図１１に示すように、診断用再構成画像Ｉ１と参考用再構成画像Ｉ２ｘとを重畳した重畳画像Ｉ３を表示部３２に表示させる。
【００８５】
さらに、第４実施形態では、表示制御部４３１（図２参照）は、重畳画像Ｉ３を表示部３２（図２参照）に表示させるとともに、診断用再構成画像Ｉ１と参考用再構成画像Ｉ２とが差分された差分画像Ｉ４（図１０参照）と、診断用再構成画像Ｉ１とを表示部３２に重畳して表示させるように構成されている。具体的には、図１０に示すように、画像生成部４２２（図２参照）は、診断用再構成画像Ｉ１と参考用再構成画像Ｉ２とを差分した差分画像Ｉ４を生成する。そして、表示制御部４３１は、図１１に示すように、診断用再構成画像Ｉ１と差分画像Ｉ４とを重畳した重畳画像Ｉ５を表示部３２に表示させる。なお、図１１では、重畳画像Ｉ３と重畳画像Ｉ５とが表示部３２に並べて表示された例を示している。
【００８６】
なお、第４実施形態による医用画像システム４００のその他の構成は、上記第１実施形態と同様である。
【００８７】
（第４実施形態の効果）
第４実施形態では、上記のように、表示制御部４３１を、診断用再構成画像Ｉ１と参考用再構成画像Ｉ２とを互いに識別可能なように表示部３２に表示させるように構成する。これにより、第１〜第３実施形態と同様に、画像表示装置４３０（医用画像システム４００）の使用者の作業負担が大きくなるのを抑制しながら、診断の基準となる診断用再構成画像Ｉ１と診断の参考とするための参考用再構成画像Ｉ２とを使用者に容易に識別させることができる。
【００８８】
また、第４実施形態では、上記のように、表示制御部４３１を、セットで読み出された診断用再構成画像Ｉ１と参考用再構成画像Ｉ２とを、互いに識別可能なように、表示部３２に重畳して表示させるように構成する。これにより、診断用再構成画像Ｉ１と参考用再構成画像Ｉ２とを、表示部３２に重畳して表示させる場合でも、第１〜第３実施形態と同様に、容易に互いに識別可能なように表示させることができる。
【００８９】
また、第４実施形態では、上記のように、表示制御部４３１を、参考用再構成画像Ｉ２に対して診断用再構成画像Ｉ１と参考用再構成画像Ｉ２とを識別するための所定の画像処理が行われた診断用再構成画像Ｉ１と参考用再構成画像Ｉ２とを互いに識別可能に表示部３２に重畳して表示させるように構成する。これにより、画像表示装置４３０（医用画像システム４００）の使用者は、診断用再構成画像Ｉ１と参考用再構成画像Ｉ２との差異を容易に確認することができるので、たとえば、機械学習や新しいアルゴリズムにより生成された参考用再構成画像Ｉ２の有用性の検討を容易に行うことができる。
【００９０】
また、第４実施形態では、上記のように、表示制御部４３１を、参考用再構成画像Ｉ２に所定の画像処理が行われた診断用再構成画像Ｉ１と参考用再構成画像Ｉ２とを互いに識別可能に表示部３２に重畳して表示させるとともに、診断用再構成画像Ｉ１と参考用再構成画像Ｉ２とが差分された差分画像Ｉ４と、診断用再構成画像Ｉ１とを表示部３２に重畳して表示させるように構成する。これにより、差分画像Ｉ４と、診断用再構成画像Ｉ１とが表示部３２に重畳して表示されるので、画像表示装置４３０（医用画像システム４００）の使用者は、診断用再構成画像Ｉ１と参考用再構成画像Ｉ２との差異をより容易に確認することができる。
【００９１】
なお、第４実施形態のその他の効果は、上記第１実施形態と同様である。
【００９２】
［第５実施形態］
図１、図２および図１２〜図１４を参照して、第５実施形態について説明する。この第５実施形態では、画像選択リストＬ５０２において再構成した検出データＤ５００が互いに異なる再構成画像Ｉ５００の組み合わせが選択された場合に表示部３２に警告メッセージ４４を表示させるように構成した例について説明する。なお、図中において、上記第１〜第４実施形態と同様の構成の部分には、同一の符号を付している。
【００９３】
図１に示すように、本発明の第５実施形態による医用画像システム５００は、制御装置５２０と、画像表示装置５３０と、を備えている。
【００９４】
図２に示すように、制御装置５２０は、画像生成部５２２を備えている。画像生成部５２２は、データ生成部１３により生成された検出データＤ５００（図１２参照）を再構成した再構成画像Ｉ５００（図１２参照）を生成するように構成されている。図１２に示すように、医用画像システム５００では、同一の被検体Ｐに対して２回の撮影を行うことにより、互いに異なる複数の検出データＤ５０１およびＤ５０２が生成された場合について説明する。
【００９５】
再構成画像Ｉ５００は、検出データＤ５０１から、再構成処理Ｒ１およびＲ５１２によりそれぞれ生成された診断用再構成画像Ｉ５１１および参考用再構成画像Ｉ５１２と、検出データＤ５０２から、再構成処理Ｒ１およびＲ５２２によりそれぞれ生成された診断用再構成画像Ｉ５２１および参考用再構成画像Ｉ５２２と、を含む。図１２では、参考用再構成画像Ｉ５１２は、互いに異なる再構成処理Ｒ５１２ａ、Ｒ５１２ｂおよびＲ５１２ｃにより、それぞれ、参考用再構成画像Ｉ５２２ａ、Ｉ５２２ｂおよびＩ５１２ｃが生成された例を示している。また、参考用再構成画像Ｉ５２２は、互いに異なる再構成処理Ｒ５２２ａおよびＲ５２２ｂにより、それぞれ、参考用再構成画像Ｉ５２２ａおよびＩ５２２ｂが生成された例を示している。
【００９６】
図２に示すように、画像表示装置５３０は、表示制御部５３１を備えている。表示制御部５３１は、画像生成部５２２により生成された再構成画像Ｉ５００（図１２参照）を表示部３２に表示させる制御を行うように構成されている。また、表示制御部５３１は、医用画像システム５００の使用者が再構成画像Ｉ５００を選択するための画像選択リストＬ５０２（図１３参照）を表示部３２に表示させる制御を行うように構成されている。なお、表示制御部５３１は、特許請求の範囲の「制御部」の一例である。
【００９７】
図１３に示すように、表示制御部５３１は、画像表示装置５３０（医用画像システム５００）の使用者が患者選択リストＬ１の中から操作部２４により選択した患者の再構成画像Ｉ５００を選択するための画像選択リストＬ５０２を表示部３２に表示させる。画像選択リストＬ５０２には、複数の検出データＤ５０１およびＤ５０２からそれぞれ再構成された再構成画像Ｉ５００が選択可能に表示される。なお、図１３に示す患者選択リストＬ１では、患者名がＣＣＣＣおよびＤＤＤＤの２名がリスト表示されている。また、図１３に示す画像選択リストＬ５０２では、Ｉｍａｇｅ  Ｓｅｒｉｅｓ（ファイル名）の１０００５００１、１０００５００２、１０００５００３、１０００５００４、１０００５００５、１０００５００６および１０００５００７が、それぞれ、図１２に示した診断用再構成画像Ｉ５１１、参考用再構成画像Ｉ５１２ａ、参考用再構成画像Ｉ５１２ｂ、参考用再構成画像Ｉ５１２ｃ、診断用再構成画像Ｉ５２１、参考用再構成画像Ｉ５２２ａおよび参考用再構成画像Ｉ５２２ｂに対応する。
【００９８】
ここで、第５実施形態では、表示制御部５３１（図２参照）は、画像選択リストＬ５０２において、再構成した検出データＤ５００が互いに異なる再構成画像Ｉ５００の組み合わせが選択された場合、表示部３２（図２参照）に警告メッセージ４４を表示させるように構成されている。具体的には、画像表示装置３０（医用画像システム１００）の使用者により、診断用再構成画像Ｉ５１１、参考用再構成画像Ｉ５１２ａ、参考用再構成画像Ｉ５１２ｂおよび参考用再構成画像Ｉ５１２ｃのいずれかと、診断用再構成画像Ｉ５２１、参考用再構成画像Ｉ５２２ａおよび参考用再構成画像Ｉ５２２ｂのいずれかとが選択された場合、画像表示装置３０（医用画像システム１００）の使用者に注意を促すための警告メッセージ４４を表示させる。警告メッセージ４４には、たとえば、異なる検出データＤ５０１およびＤ５０２から生成された画像を組み合わせて選択されている旨を表示させる。なお、図１４では、Ｉｍａｇｅ  Ｓｅｒｉｅｓ（ファイル名）の１０００５００３と１０００５００６とが選択され、警告メッセージ４４が表示された例を示している。なお、警告メッセージ４４は、特許請求の範囲の「警告」の一例である。
【００９９】
なお、第５実施形態による医用画像システム５００のその他の構成は、上記第１実施形態と同様である。
【０１００】
（第５実施形態の効果）
第５実施形態では、上記のように、表示制御部５３１を、診断用再構成画像Ｉ５１１（Ｉ５２１）と参考用再構成画像Ｉ５１２（Ｉ５２２）とを互いに識別可能なように表示部３２に表示させるように構成する。これにより、第１〜第４実施形態と同様に、画像表示装置５３０（医用画像システム５００）の使用者の作業負担が大きくなるのを抑制しながら、診断の基準となる診断用再構成画像Ｉ５１１（Ｉ５２１）と診断の参考とするための参考用再構成画像Ｉ５１２（Ｉ５２２）とを使用者に容易に識別させることができる。
【０１０１】
また、第５実施形態では、上記のように、表示制御部５３１を、診断用再構成画像Ｉ５１１（Ｉ５２１）と参考用再構成画像Ｉ５２１（Ｉ５２２）とを含む再構成画像Ｉ５００を選択するための画像選択リストＬ５０２を表示部３２に表示させるように構成する。また、表示制御部５３１を、画像選択リストＬ５０２において、診断用再構成画像Ｉ５１１（Ｉ５２１）または参考用再構成画像Ｉ５１２（Ｉ５２２）のいずれか一方が選択された場合、診断用再構成画像Ｉ５１１（Ｉ５２１）と参考用再構成画像Ｉ５１２（Ｉ５２２）とをセットで読み出した上で、診断用再構成画像Ｉ５１１（Ｉ５２１）と参考用再構成画像Ｉ５１２（Ｉ５２２）とを互いに識別可能に表示部３２に表示させるように構成する。これにより、画像表示装置５３０（医用画像システム５００）の使用者は、第１実施形態と同様に、診断用再構成画像Ｉ５１１（Ｉ５２１）と参考用再構成画像Ｉ５１２（Ｉ５２２）とをそれぞれ個別に選択して表示部３２に表示させる場合と比較して、診断用再構成画像Ｉ５１１（Ｉ５２１）と参考用再構成画像Ｉ５１２（Ｉ５２２）とを容易に比較することができる。また、選択作業において、診断用再構成画像Ｉ５１１（Ｉ５２１）と参考用再構成画像Ｉ５１２（Ｉ５２２）とをセットで読み出すことによって、第１実施形態と同様に、画像表示装置３０（医用画像システム１００）の使用者の選択の際の作業負担を軽減することができる。また、診断用再構成画像Ｉ５１１（Ｉ５２１）と参考用再構成画像Ｉ５１２（Ｉ５２２）とがセットで読み出されるので、上記のように複数の検出データＤ５００からそれぞれ再構成された再構成画像Ｉ５００が表示されている場合に、画像表示装置５３０（医用画像システム５００）の使用者が、再構成した検出データＤ５００が互いに異なる再構成画像Ｉ５００の組み合わせを誤って選択してしまうのを抑制することができる。その結果、誤った画像の組み合わせが表示部３２に表示されることに起因して、画像表示装置５３０（医用画像システム５００）の使用者が誤った診断を行ってしまうのを抑制することができる。
【０１０２】
また、第５実施形態では、上記のように、表示制御部５３１を、複数の検出データＤからそれぞれ再構成された再構成画像Ｉ５００を選択するための画像選択リストＬ５０２において、再構成した検出データＤ５００が互いに異なる再構成画像Ｉ５００の組み合わせが選択された場合、表示部３２に警告メッセージ４４を表示させるように構成する。これにより、画像選択リストＬ５０２に複数の検出データＤ５００からそれぞれ再構成された再構成画像Ｉ５００が表示されている場合に、画像表示装置５３０（医用画像システム５００）の使用者が、再構成した検出データＤ５００が互いに異なる再構成画像Ｉ５００の組み合わせを誤って選択してしまうのをより抑制することができる。その結果、誤った画像の組み合わせが表示部３２に表示されることに起因して、画像表示装置５３０（医用画像システム５００）の使用者が誤った診断を行ってしまうのをより抑制することができる。
【０１０３】
なお、第５実施形態のその他の効果は、上記第１実施形態と同様である。
【０１０４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０５】
たとえば、上記第１〜第５実施形態では、患者選択リストＬ１が選択されて、画像選択リストＬ２（Ｌ５０２）を表示させる際に、診断用再構成画像Ｉ１（Ｉ５１１、Ｉ５２１）に対応するファイル名の横に診断用再構成画像Ｉ１（Ｉ５１１、Ｉ５２１）であることを示すチェック４１が表示されるように構成した例を示したが、本発明はこれに限られない。本発明では、診断用再構成画像と参考用再構成画像とを識別可能な他の方法により画像選択リストを表示させるように構成してもよい。たとえば、診断用再構成画像に対応するファイル名を枠で囲んだ状態で、画像選択リストを表示させるように構成してもよいし、診断用再構成画像または参考用再構成画像の少なくともいずれかのファイル名を色を異ならせて表示させるように構成してもよい。
【０１０６】
また、上記第１および第２実施形態では、表示制御部３１（２３１）を、診断用再構成画像Ｉ１（Ｉ２０１）を識別するための枠４２で診断用再構成画像Ｉ１（Ｉ２０１）を囲んだ状態で、診断用再構成画像Ｉ１（Ｉ２０１）と参考用再構成画像Ｉ２（Ｉ２０２）とを表示部３２に並べて表示させるように構成した例を示したが、本発明はこれに限られない。本発明では、表示制御部を、参考用再構成画像を識別するための枠で参考用再構成画像を囲んだ状態で、診断用再構成画像と参考用再構成画像とを表示部に並べて表示させるように構成してもよい。また、表示制御部を、診断用再構成画像を予め設定された所定の位置に表示させることにより、診断用再構成画像と参考用再構成画像とを識別可能であれば、診断用再構成画像を識別するための枠または参考用再構成画像を識別するための枠を表示することを省略するように構成してもよい。
【０１０７】
また、上記第１および第２実施形態では、表示制御部３１（２３１）を、複数の再構成画像Ｉ（Ｉ２００）を並べて表示させる場合に、診断用再構成画像Ｉ１（Ｉ２０１）を予め設定された所定の位置（最も左側かつ最も上側）に表示させるように構成した例を示したが、本発明はこれに限られない。本発明では、予め設定された所定の位置を、最も左側かつ最も上側以外の位置としてもよい。また、診断用再構成画像を識別するための枠で診断用再構成画像を囲んだ状態か、または、参考用再構成画像を識別するための枠で参考用再構成画像を囲んだ状態かのいずれかで、診断用再構成画像と参考用再構成画像とを表示部に並べて表示させることにより、診断用再構成画像と参考用再構成画像とを識別可能であれば、診断用再構成画像を予め設定された所定の位置へ表示することを省略するように構成してもよい。
【０１０８】
また、上記第２実施形態では、表示制御部２３１を、複数の参考用再構成画像Ｉ２０２ａおよびＩ２０２ｂを、検出部１２による放射線の検出時刻に基づいて、表示部３２に時系列に並べて表示させるように構成した例を示したが、本発明はこれに限られない。本発明では、表示制御部を、複数の参考用再構成画像を時系列以外の並べ方で表示させるように構成してもよい。
【０１０９】
また、上記第２実施形態では、画像生成部２２２を、検出データＤ２００のうち、検出時刻ＴＳ（検出データＤ２００の検出を開始した時刻）から検出時刻Ｔ１までの間の検出データＤ２００ａを再構成した参考用再構成画像Ｉ２０２ａと、検出時刻Ｔ１から検出時刻ＴＦ（検出データＤ２００の検出を終了した時刻）までの間の検出データＤ２００ｂを再構成した参考用再構成画像Ｉ２０２ｂと、を生成するように構成した例を示したが、本発明はこれに限られない。本発明では、参考用再構成画像を生成するための検出データを、検出時刻ＴＳ、Ｔ１およびＴＦ以外の部分で区分するように構成してもよい。また、検出データを３つ以上に区分して、３つ以上の参考再構成画像を生成するように構成してもよい。
【０１１０】
また、上記第４実施形態では、画像生成部４２２を、参考用再構成画像Ｉ２のカラーを変更した参考用再構成画像Ｉ２ｘを生成し、診断用再構成画像Ｉ１と参考用再構成画像Ｉ２ｘとを重畳した重畳画像Ｉ３を表示部３２に表示させるように構成した例を示したが、本発明はこれに限られない。本発明では、画像生成部を、診断用再構成画像のカラーを変更した診断用再構成画像を生成し、カラーを変更した診断用再構成画像と参考用再構成画像とを重畳した重畳画像を表示部に表示させるように構成してもよい。また、たとえば、透過率の変更等のカラーの変更以外の画像処理を、診断用再構成画像と参考用再構成画像とを重畳させる前に、診断用再構成画像または参考用再構成画像のいずれかに施すようにしてもよい。
【０１１１】
また、上記第４実施形態では、表示制御部４３１を、重畳画像Ｉ３を表示部３２に表示させるとともに、診断用再構成画像Ｉ１と参考用再構成画像Ｉ２とが差分された差分画像Ｉ４と、診断用再構成画像Ｉ１とを、表示部３２に重畳して表示させるように構成した例を示したが、本発明はこれに限られない。本発明では、表示制御部を、重畳画像を表示部に表示させるとともに、差分画像と参考用再構成画像とを表示部に重畳して表示させるように構成してもよい。また、差分画像と参考用再構成画像とを表示部に重畳して表示させる構成を省略してもよい。
【０１１２】
また、上記第１〜第５実施形態では、医用画像システム１００（２００、３００、４００、５００）を、被検体Ｐの乳房Ｐａを診断するためのシステムとした例を示したが、本発明はこれに限られない。本発明では、医用画像システムを、被検体Ｐの乳房Ｐａ以外の部位を診断するシステムとして構成してもよい。
【０１１３】
また、上記第１〜第５実施形態では、画像表示装置３０（２３０、３３０、４３０、５３０）を、ＰＥＴ装置１０により検出された放射線に基づいて生成された検出データＤ（Ｄ２００、Ｄ５００）を再構成した再構成画像を表示するように構成した例を示したが、本発明はこれに限られない。本発明は、ＰＥＴ装置以外の検出データを再構成した再構成画像を表示する画像表示装置にも適用することができる。たとえば、ＣＴ装置により検出された放射線に基づいて生成された検出データを再構成した再構成画像を表示するように構成してもよいし、ＭＲＩ装置により検出された核磁気共鳴による信号に基づいて生成された検出データを再構成した再構成画像を表示するように構成してもよい。
【符号の説明】
【０１１４】
１２  検出部
１３  データ生成部
２２、２２２、４２２、５２２  画像生成部
３０、２３０、３３０、４３０、５３０  画像表示装置
３１  表示部
３２、２３２、３３２、４３２、５３２  表示制御部（制御部）
４２  （診断用再構成画像を識別するための）枠
４４  警告メッセージ（警告）
５０（５１ａ、５１ｂ、５１ｃ、５２ａ、５２ｂ、５２ｃ）  関心領域
６０（６１、６２）  画像解析の結果
１００、２００、３００、４００、５００  医用画像システム
Ｄ、Ｄ２００、Ｄ２００ａ、Ｄ２００ｂ、Ｄ５００（Ｄ５０１、Ｄ５０２）  検出データ
Ｉ、Ｉ２００、Ｉ５００  再構成画像
Ｉ１、Ｉ２０１、Ｉ５１１、Ｉ５２１  診断用再構成画像
Ｉ２（Ｉ２ａ、Ｉ２ｂ、Ｉ２ｃ）、Ｉ２０２（Ｉ２０２ａ、Ｉ２０２ｂ）、Ｉ５１２（Ｉ５１２ａ、Ｉ５１２ｂ、Ｉ５１２ｃ）、Ｉ５２２（Ｉ５２２ａ、Ｉ５２２ｂ）  参考用再構成画像
Ｉ４  差分画像
Ｌ２、Ｌ５０２  画像選択リスト
Ｐ  被検体
【図１】
2020010754.tif 000003
【図２】
2020010754.tif 000004
【図３】
2020010754.tif 000005
【図４】
2020010754.tif 000006
【図５】
2020010754.tif 000007
【図６】
2020010754.tif 000008
【図７】
2020010754.tif 000009
【図８】
2020010754.tif 000010
【図９】
2020010754.tif 000011
【図１０】
2020010754.tif 000012
【図１１】
2020010754.tif 000013
【図１２】
2020010754.tif 000014
【図１３】
2020010754.tif 000015
【図１４】
2020010754.tif 000016